(57)【要約】【課題】  内装シートの縁を隠蔽でき且つ内装シートの剥がれを防止できる浴室構造を提供する。【解決手段】  本発明の浴室構造１０は、天井下地材４１の表面に内装シート４２が貼り付けられた浴室天井４と、前記浴室天井４の一部分に開口された点検口５と、を有する浴室と、前記点検口５の端面５ａに貼付けられる貼付壁２と、前記貼付壁２から突設され且つ浴室天井４のうち前記点検口５の周囲の表面部５ｂに係止される係止凸部３と、を有する縁部材１と、を備え、前記係止凸部３を前記表面部５ｂに係止させつつ前記貼付壁２を前記端面５ａに貼り付けることにより、前記縁部材１が点検口５に取り付けられている。【選択図】  図５
2015063857.tif 000002
【特許請求の範囲】
【請求項１】
浴室天井と、前記浴室天井の一部分に開口された点検口と、前記点検口を閉塞する点検蓋と、を有する浴室と、
前記浴室の点検口の端面又は浴室の点検蓋の端面に貼付けられる貼付壁と、前記貼付壁から突設され且つ前記点検口の周囲の表面部又は点検蓋の周囲の表面部に係止される係止凸部と、を有する縁部材と、を備え、
前記係止凸部を前記表面部に係止させつつ前記貼付壁を前記端面に貼り付けることにより、前記縁部材が点検口及び点検蓋の少なくとも何れか一方に取り付けられている、浴室構造。
【請求項２】
前記浴室天井が、天井下地材と、前記天井下地材の表面に貼り付けられた内装シートと、を有し、
前記点検蓋が、蓋下地材と、前記蓋下地材の表面に貼り付けられた内装シートと、を有する、請求項１に記載の浴室構造。
【請求項３】
可撓性材料から形成されており、
浴室の点検口の端面又は浴室の点検蓋の端面に貼付けられる貼付壁と、前記貼付壁から突設され且つ前記点検口の周囲の表面部又は点検蓋の周囲の表面部に係止される係止凸部と、を有する、浴室点検口用又は浴室点検蓋用縁部材。
【請求項４】
前記貼付壁が、前記端面に接する貼付け面を有し、前記係止凸部が、前記表面部に接する係合面を有し、
前記貼付壁の貼付け面と係止凸部の係合面が、略直角に形成されている、請求項３に記載の浴室点検口用又は浴室点検蓋用縁部材。
【発明の詳細な説明】
【技術分野】
【０００１】
本発明は、点検口を有する浴室の構造及び点検口の端面又は点検蓋の端面に取り付けて使用される縁部材に関する。
【背景技術】
【０００２】
浴室天井には、点検口が開口されており、通常時、その点検口は、点検蓋で閉塞されている。
浴室の点検口及び点検蓋の構造は、従来から様々な構造が提案されている。
例えば、特許文献１の点検蓋は、塩ビ鋼板等を用いて皿状に形成された表面材と、その裏面に接着された石膏ボードなどの裏貼材と、からなり、同点検口は、塩ビ鋼板等を用いて形成された天井パネルの一部に形成された開口部からなり、その開口部に臨む塩ビ鋼板の縁を直角状に折り曲げて縁部材としている。
このように浴室天井は、塩ビ鋼板等のパネル材を用いて形成されることが多いが、点検口の端面の外観が悪く、浴室天井の美観を損ねることがある。また、前記のようなパネル材は、施工現場で寸法調整し難いため、点検口の端面と点検蓋の端面の間に大きな隙間が生じることがある。このような隙間を生じると、浴室天井の美観を損ねる上、浴室内の蒸気が天井裏に侵入することがある。
【０００３】
また、天井下地材及び蓋下地材の表面に内装シートが貼り付けられた浴室天井及び点検蓋においては、内装シートの縁が点検口の端面や点検蓋の端面から見えるので、外観が悪くなることがある。さらに、内装シートの縁と点検蓋の表面の間から水分が侵入し、内装シートがその縁から剥がれるおそれがある。
特に、浴室天井は、カビや細菌などが発生し易く、経年によって見た目が悪くなるため、近年、一戸建てやマンション等の住宅、老人保健施設、介護福祉施設、病院等の施設で、リフォーム浴室の改修や新築が盛んに行われている。浴室の天井を改修する際には、既存の浴室天井を除去して新たな内装材を入れ直す場合もあるが、費用面から、既設の内装材の上に、内装シートを貼り付けることが望まれている。かかる内装シートを貼り付けた浴室天井の点検口周りの美観を向上することも望まれている。
【先行技術文献】
【特許文献】
【０００４】
【特許文献１】特許第３４０７４５６号公報
【発明の概要】
【発明が解決しようとする課題】
【０００５】
本発明の第１の目的は、浴室天井の点検口周りにおいて美観を損ねない浴室構造を提供し、さらに、内装シートの縁を隠蔽でき且つ内装シートの剥がれを防止できる浴室構造を提供することである。
本発明の第２の目的は、点検口の端面及び点検蓋の端面に容易に取り付けることができ、前記端面を隠蔽して点検口周りの美観を向上させる浴室点検口用又は浴室点検蓋用縁部材を提供し、さらに、点検口と点検蓋の隙間を小さくして、浴室内の水蒸気が天井裏に侵入することを抑制できる浴室点検口用又は浴室点検蓋用縁部材を提供することである。
【課題を解決するための手段】
【０００６】
本発明の浴室構造は、浴室天井と、前記浴室天井の一部分に開口された点検口と、前記点検口を閉塞する点検蓋と、を有する浴室と、前記浴室の点検口の端面又は浴室の点検蓋の端面に貼付けられる貼付壁と、前記貼付壁から突設され且つ前記点検口の周囲の表面部又は点検蓋の周囲の表面部に係止される係止凸部と、を有する縁部材と、を備え、前記係止凸部を前記表面部に係止させつつ前記貼付壁を前記端面に貼り付けることにより、前記縁部材が点検口及び点検蓋の少なくとも何れか一方に取り付けられている。
【０００７】
本発明の好ましい浴室構造は、前記浴室天井が、天井下地材と、前記天井下地材の表面に貼り付けられた内装シートと、を有し、前記点検蓋が、蓋下地材と、前記蓋下地材の表面に貼り付けられた内装シートと、を有する。
【０００８】
本発明の別の局面によれば、浴室点検口用又は浴室点検蓋用縁部材を提供する。
この縁部材は、可撓性材料から形成されており、浴室の点検口の端面又は浴室の点検蓋の端面に貼付けられる貼付壁と、前記貼付壁から突設され且つ前記点検口の周囲の表面部又は点検蓋の周囲の表面部に係止される係止凸部と、を有する。
【０００９】
本発明の好ましい浴室点検口用又は浴室点検蓋用縁部材は、前記貼付壁が前記端面に接する貼付け面を有し、前記係止凸部が、前記表面部に接する係合面を有し、前記貼付壁の貼付け面と係止凸部の係合面が、略直角に形成されている。
【発明の効果】
【００１０】
本発明の浴室構造によれば、縁部材によって点検口及び点検蓋の少なくとも何れか一方の端面に取り付けられているので、点検口周りの外観が良好である。さらに、内装シートが設けられている浴室天井及び点検蓋に縁部材を取付けた場合には、内装シートの縁を隠蔽して良好な外観を有する上、内装シートの縁と浴室天井の表面などとの間に水蒸気や水分が侵入し難いので、内装シートの剥がれを効果的に防止できる。
また、本発明の縁部材は、点検口又は点検蓋の端面形状に沿って湾曲させることができる上、係止凸部を係止させつつ貼付壁を点検口などの端面に貼り付けることができるので、前記点検口などの端面に容易に取り付けることができる。さらに、本発明の縁部材は、点検口と点検蓋の隙間を埋めて、浴室内の水蒸気が天井裏に侵入することを抑制できる。
【図面の簡単な説明】
【００１１】
【図１】本発明の１つの実施形態に係る縁部材の斜視図。ただし、中間部を省略している。
【図２】図１のＩＩ−ＩＩ線で切断した拡大断面図。
【図３】本発明の浴室構造の概略図。
【図４】縁部材が取り付けられた点検口及び点検蓋を下側から見た拡大平面図。
【図５】図４のＶ−Ｖ線で切断した拡大端面図。ただし、中間部を省略している。
【図６】縁部材を点検蓋の端面に取り付ける過程を示す斜視図。
【図７】他の実施形態に係る縁部材の拡大断面図。
【図８】同縁部材が取り付けられた点検口及び点検蓋の拡大端面図（同縁部材を取り付けたものを図４のＶ−Ｖ線と同様の箇所で切断）。
【図９】さらなる他の実施形態の縁部材の拡大断面図。
【図１０】さらなる他の実施形態の縁部材の拡大断面図。
【図１１】さらなる他の実施形態の縁部材の拡大断面図。
【図１２】他の実施形態に係る点検口に対する点検蓋の係止構造を示す拡大端面図（縁部材を取り付けたものを図４のＶ−Ｖ線と同様の箇所で切断）。
【発明を実施するための形態】
【００１２】
以下、本発明について図面を参照しつつ説明する。
各図において、部材の厚み及び大きさなどは、実際のものとは異なっていることに留意されたい。
本明細書において、「ＰＰＰ〜ＱＱＱ」という記載は、「ＰＰＰ以上ＱＱＱ以下」を意味する。
【００１３】
［１つの実施形態］
［縁部材］
本発明の縁部材は、浴室の点検口の端面に取り付けられる。また、本発明の縁部材は、浴室の点検蓋の端面に取り付けられる。本発明の縁部材は、浴室の点検口の端面及び点検蓋の端面の双方に取り付けて使用してもよいし、或いは、点検口の端面又は点検蓋の端面のいずれかに取り付けて使用することもできる。
【００１４】
図１及び図２において、浴室点検口用又は浴室点検蓋用縁部材１は、全体として一方向に延びる長尺状である。前記長尺状は、長手方向における長さがそれと直交する方向における長さよりも十分に長い形状をいう。前記長尺状の縁部材１は、例えば、その長手方向における長さが５０ｃｍ以上であり、好ましくは１００ｃｍ以上である。長尺状の縁部材１は、施工に際して適切な長さに切断して使用される。
前記縁部材１は、浴室の点検口の端面又は浴室の点検蓋の端面に貼付けられる貼付壁２と、前記貼付壁２から突設され且つ前記点検口の周囲の表面部又は点検蓋の周囲の表面部に係止される係止凸部３と、を有する。縁部材１は、全体として可撓性を有する。
なお、縁部材１は長手方向に延びる長尺状であるため、前記貼付壁２及び係止凸部３も同様に、それぞれ長手方向に延びている。従って、前記縁部材１は、長手方向の何れの箇所で切断しても同じ断面形状であり、その断面形状は、図２に示す形状と同じである。
【００１５】
前記縁部材１は、可撓性を有する材料から形成されている。ここで、可撓性は、作業者の人力で容易に湾曲させることができる程度に柔軟な性質をいう。前記可撓性を有する縁部材１は、容易に曲がるので、点検口の端面形状又は点検蓋の端面形状に沿わせることができる。
例えば、前記縁部材１の硬度は、４０〜９０であり、好ましくは、４５〜８５であり、より好ましくは５０〜８０である。前記硬度が小さすぎると、縁部材１を取り扱い難くなり、硬度が大きすぎると、点検口などの端面形状に応じて縁部材１を変形させ難くなるおそれがある。ただし、前記硬度は、ＪＩＳ  Ｋ  ６２５３に準じて、デュロメータタイプＡによって測定される値をいう。
【００１６】
前記縁部材１は、可撓性を有する材料であればその材質は特に限定されない。例えば、前記縁部材１は、合成樹脂及びゴムなどのエラストマーを用いて形成される。
前記エラストマーとしては、ポリスチレン系熱可塑性エラストマー、ポリオレフィン系熱可塑性エラストマー、ポリエステル系熱可塑性エラストマー、ポリ塩化ビニル系熱可塑性エラストマー、ポリウレタン系熱可塑性エラストマー、ポリアミド系熱可塑性エラストマーなどが挙げられる。安価で耐久性に優れることから、ポリ塩化ビニル系熱可塑性エラストマーが好適に用いられる。
【００１７】
前記長尺状の縁部材１は、前記のような可撓性材料を耐圧金型から押し出し成形することにより得ることができる。
【００１８】
前記縁部材１の貼付壁２は、長手方向に細長い帯状である。貼付壁２の一方側の面は、点検口又は点検蓋の端面に接する貼付け面２１であり、貼付壁２の他方側の面は、外部に露出する露出面２２である。貼付壁２の貼付け面２１は、例えば、平坦状であり、点検口又は点検蓋の端面に接着される。
前記縁部材１の係止凸部３は、貼付壁２の下端部から一方側に突出されている。係止凸部３は、前記貼付壁２の貼付け面２１に連続して延び、且つ点検口の周囲の表面部又は点検蓋の周囲の表面部に接する係合面３１と、係合面３１の端部から貼付壁２の他方側の面に連続する外面３２と、を有する。
前記係止凸部３の係合面３１は、例えば、平坦状である。係止凸部３の係合面３１と貼付壁２の貼付け面２１とは、略直角に形成されている。なお、本明細書において、略直角とは、厳格な９０度のみならず、８０度〜１００度の範囲を含み、好ましくは８５度〜９５度である。
係止凸部３の外面３２は、断面視弧状に形成されている。もっとも、係止凸部３の外面３２は、断面視弧状に限られず、断面視Ｖ字状でもよいし、或いは、断面視凹字状でもよい。前記外面３２の形状は、縁部材１を点検口の端面などのコーナーに貼り付けた際に、歪を吸収して皺発生を防止することができ、さらに、縁部材１を取付け後にはその外面３２に汚れが付きにくいことから、断面視弧状が好ましい。
【００１９】
前記縁部材１の貼付壁２の厚みＡは、特に限定されないが、余りに大きいと縁部材１が曲がり難くなり、余りに小さいと水蒸気の侵入抑制効果が十分でなく、さらに、縁部材１の強度が不足するおそれがある上、取り扱い難くなる。かかる観点から、貼付壁２の厚みＡは、０．５ｍｍ〜３ｍｍが好ましく、０．５ｍｍ〜２ｍｍがより好ましく、０．８ｍｍ〜１．２ｍｍが特に好ましい。
前記縁部材１の係止凸部３の突出高さＢは、特に限定されないが、余りに大きいと縁部材１が曲がり難くなり、余りに小さいと点検口又は点検蓋の端面を十分に隠蔽できないおそれがある上、施工時に係止凸部３が点検口などの表面部に係合しないおそれがある。かかる観点から、係止凸部３の突出高さＢは、１ｍｍ〜１０ｍｍが好ましく、１ｍｍ〜５ｍｍがより好ましく、１．５ｍｍ〜３．５ｍｍが特に好ましい。
前記縁部材１の係止凸部３の肉厚Ｃは、特に限定されないが、余りに大きいと縁部材１が曲がり難くなる上、施工後に係止凸部３が点検口などの表面部から大きく突出して外観が悪くなるおそれがある。一方、余りに小さいと縁部材１を点検口の端面などのコーナーに貼り付けた際に係止凸部３の形状を維持できないおそれがあり、その結果、点検口又は点検蓋の端面を十分に隠蔽できないおそれがある。かかる観点から、係止凸部３の肉厚Ｃは、１ｍｍ〜５ｍｍが好ましく、１．５ｍｍ〜３ｍｍがより好ましく、１．８ｍｍ〜２．５ｍｍが特に好ましい。
前記縁部材１の貼付壁２の短手方向における長さＤは、特に限定されないが、余りに大きいと施工時に縁部材１が取り扱い難くなる上、端面へ貼り付け後に貼付壁２の残余部分をカッター等で除去する量が多くなりコストが増大する。一方、余りに小さいと点検口又は点検蓋の端面を十分に隠蔽できないおそれがある上、点検口などの端面と縁部材１との接着面積が小さくなって取付け強度が不足するおそれがある。かかる観点から、貼付壁２の短手方向における長さＤは、５ｍｍ〜２０ｍｍが好ましく、７ｍｍ〜１８ｍｍがより好ましく、８ｍｍ〜１５ｍｍが特に好ましい。
【００２０】
［浴室構造］
本発明の浴室構造１０は、図３乃至図５に示すように、浴室天井４と、前記浴室天井４の一部分に開口された点検口５と、前記点検口５を閉塞する点検蓋６と、を有する。図５に示すように、前記点検口５の端面５ａ及び点検蓋６の端面６ａの少なくとも何れか一方に、前記縁部材１が取り付けられている。なお、本発明の浴室構造１０においては、浴室の点検口５の端面５ａ及び点検蓋６の端面６ａの双方に縁部材１が取り付けられていてもよいし、或いは、浴室の点検口５の端面５ａ又は点検蓋６の端面６ａの何れか一方にのみ縁部材１が取り付けられていてもよい。
本発明の浴室構造１０は、改修及び新築の何れの場合にも適用できる。
【００２１】
浴室天井４、点検口５及び点検蓋６の基本的な構造は、従来公知の構造を採用できる。
図示例では、浴室天井４は、天井下地材４１と、天井下地材４１の表面に貼り付けられた内装シート４２と、からなる。天井下地材４１は、浴室天井４の基礎構造材であって板状の部材である。天井下地材４１は、例えば、塩化ビニルで被覆した鋼板、石膏ボード、繊維強化樹脂などの樹脂板、タイル、石板、木質板などを用いて形成される。内装シート４２は、塩化ビニル樹脂などの合成樹脂製シートなどを用いることができる。内装シート４２は、通常、接着剤を用いて天井下地材４１の表面に接着される。内装シート４２は、天井下地材４１の表面を装飾及び保護すると共に、天井下地材４１の表面に水蒸気が結露すること及び水分の付着することを防止する。内装シート４２の表面が、浴室天井４の表面を構成している。
点検口５は、浴室天井４の天井下地材４１の一部分を切り欠いて形成された開口である。点検口５の平面視形状は、特に限定されず、例えば、正方形又は長方形などが挙げられる。
【００２２】
点検蓋６は、蓋下地材６１と、蓋下地材６１の表面に貼り付けられた内装シート６２と、蓋下地材６１の裏面側に設けられた係止部６３と、からなる。蓋下地材６１は、点検口５に嵌まり込む形状に形成されている。蓋下地材６１としては、前記天井下地材４１と同様な材料を用いることができ、通常、蓋下地材６１は、天井下地材４１と同種の材料から形成される。点検蓋６の内装シート６２は、天井下地材４１の内装シート４２と同様なものを用いることができ、通常、点検蓋６の内装シート６２は、浴室天井４と同種のものが用いられる。内装シート６２の表面が、点検蓋６の表面を構成している。係止部６３は、蓋下地材６１の周縁部から外側に延設されている。係止部６３は、点検蓋６を点検口５に嵌め入れた際に、天井下地材４１の裏面に係止され、点検蓋６が落下することを防止する。係止部６３は、例えば、板状の部材からなり、その板状の部材の縁部が蓋下地材６１の周縁部から外側に延出されるように、その部材を蓋下地材６１に固定することによって設けられている。
【００２３】
点検蓋６の端面６ａは、蓋下地材６１の外側面であって、蓋下地材６１の厚み方向に沿った面である。前記端面６ａで囲まれた範囲内が点検蓋６である。蓋下地材６１に貼り付けられた内装シート６２の縁は、前記点検蓋６の端面６ａにほぼ一致している。
１つの縁部材１は、係止凸部３を点検蓋６の周囲の表面部６ｂに係止させ且つ貼付壁２を点検蓋６の端面６ａに貼り付けることにより、点検蓋６の端面６ａに取り付けられている。なお、点検蓋６の周囲の表面部６ｂは、点検蓋６の表面のうち、点検蓋の表面と端面の境界である略直角部を含む角部近傍表面である。なお、内装シート６２が設けられている場合の前記点検蓋６の表面は、内装シート６２の表面であり、内装シートが設けられていない場合の点検蓋６の表面は、蓋下地材６１の表面である。
具体的には、図６に示すように、縁部材１の貼付壁２の貼付け面２１には、両面粘着テープ７が貼付されている。縁部材１の係止凸部３の係合面３１を点検蓋６の周囲の表面部６ｂに接触させながら、前記両面粘着テープ７を介して貼付壁２の貼付け面２１を点検蓋６の端面６ａに接着する。なお、縁部材１の貼付手段は、両面粘着テープ７に限られず、接着剤を用いてもよい（図示せず）。また、貼付手段で貼り付ける対象は貼付け面２１のみに限られず、必要に応じて、係合面３１に接着剤を塗布し、貼付け面２１及び係合面３１を点検蓋６に接着してもよい。
前記縁部材１は可撓性を有するので、点検蓋６のコーナーに沿って容易に湾曲し、点検蓋６の端面全体に、縁部材１を巻き付けるように取り付けることができる。また、縁部材１の貼付け面２１と係合面３１は、略直角状を成しているので、貼付壁２を点検蓋６の端面６ａに貼り付けた後も、係合面３１が表面部６ｂに密着し、係合面３１と表面部６ｂの間に隙間が生じ難くなる。
【００２４】
また、点検口５の端面５ａは、天井下地材４１の開口に面する、天井下地材４１の厚み方向に沿った面である。前記端面５ａで囲まれた範囲内が点検口５である。天井下地材４１に貼り付けられた内装シート４２の縁は、前記点検口５の端面５ａにほぼ一致している。
１つの縁部材１は、係止凸部３を点検口５の周囲の表面部５ｂに係止させ且つ貼付壁２を点検口５の端面５ａに貼り付けることにより、点検口５の端面５ａに取り付けられている。なお、点検口５の周囲の表面部５ｂは、浴室天井の表面のうち、浴室天井の表面と点検口の端面の境界である略直角部を含む角部近傍表面である。なお、内装シート４２が設けられている場合の前記浴室天井の表面は、内装シート４２の表面であり、内装シートが設けられていない浴室天井の表面は、天井下地材４１の表面である。
点検口５への縁部材１の取付け方法は、点検蓋６と同様に、両面粘着テープ７や接着剤などの貼付手段を用いることができる。
前記縁部材１は可撓性を有するので、点検口５のコーナーに沿って容易に湾曲し、点検口５の端面全体に、縁部材１を内嵌するように取り付けることができる。また、縁部材１の貼付け面２１と係合面３１は、略直角状を成しているので、貼付壁２を点検口５の端面５ａに貼り付けた後も、係合面３１が表面部５ｂに密着し、係合面３１と表面部５ｂの間に隙間が生じ難くなる。
【００２５】
本発明の浴室構造１０によれば、点検口５の端面５ａ、点検蓋６の端面６ａ及び内装シート４２の縁が縁部材１によって隠蔽されているので、点検口周りの外観が良好となる。さらに、内装シート４２，６２の縁が縁部材１で保護されているので、内装シート４２，６２の縁と浴室天井４の表面又は点検蓋６の表面との間に水蒸気や水分が侵入し難くなり、内装シート４２，６２の剥がれを効果的に防止できる。
さらに、本発明の浴室構造は、点検口５の端面５ａと点検蓋６の端面の隙間に縁部材１の貼付壁２が介在してその隙間が小さくなるので、浴室内の水蒸気が天井裏に侵入することを抑制することができる。
また、通常、内装シートを天井下地材及び蓋下地材に貼り付ける際には、内装シートの縁が点検口の端面及び点検蓋の端面に一致するように、精度良く内装シートを切り取らなければならない。この点、本発明の浴室構造１０は、縁部材１によって内装シート４２，６２の縁を隠蔽するため、内装シート４２，６２の縁を点検口５の端面５ａ及び点検蓋６の端面６ａに精度良く一致させる必要がないので、内装シート４２，６２の施工も容易に行える。
さらに、本発明の縁部材１は、点検口５の端面形状又は点検蓋６の端面形状に沿って湾曲させることができ、専用の工具を用いなくても、両面粘着テープ７のような貼付手段を用いて容易に取り付けることができる。
【００２６】
なお、本発明の縁部材及び浴室構造は、上記１つの実施形態に限られず、本発明の意図する範囲で様々に変更できる。以下、本発明の他の実施形態を説明するが、上記実施形態と同様な構成及び効果並びに使用方法については説明を省略し、用語及び符号をそのまま援用する。
【００２７】
［他の実施形態］
上記１つの実施形態の縁部材１は、係止凸部３が貼付壁２の一方側にのみ突出されているが、例えば、図７に示すように、貼付壁２から２つの係止凸部８１，８２が互いに反対側に突出されていてもよい。以下、一方の係止凸部８１を第１係止凸部８１といい、他方の係止凸部８２を第２係止凸部８２という。
具体的には、この縁部材１は、貼付壁２の下端部から貼付壁２の一方側に向けて第１係止凸部８１が突設され且つ貼付壁２の他方側に向けて第２係止凸部８２が突設されている。第１係止凸部８１は、貼付壁２の貼付け面２１側に突出しており、上記実施形態の縁部材１の係止凸部３に相当する。第２係止凸部８２は、貼付壁２の露出面２２側に突出している。第１係止凸部８１の突出高さは、上記実施形態の係止凸部３の突出高さＢと同じである。第２係止凸部８２の突出高さは、点検口５の端面５ａと点検蓋６の端面６ａとの間の長さ、すなわち、点検口５と点検蓋６の隙間よりも大きいことが好ましい。
【００２８】
かかる第１及び第２係止凸部８１，８２を有する縁部材１は、図８に示すように、点検口５の端面５ａに両面粘着テープ７などを用いて取り付けられる。この際、第１係止凸部８１の係合面８１１は、点検口５の周囲の表面部５ａに係止され、且つ、第２係止凸部８２の係合面８２１の先端部は、点検蓋６の周囲の表面部６ａに接する又は近接する。つまり、第１係止凸部８１の係合面８１１を点検口５の周囲の表面部５ａに係止させつつ縁部材１の貼付壁２の貼付け面２１を点検口５の端面５ａに貼り付けることにより、第２係止凸部８２の係合面８２１の先端部が点検蓋６の周囲の表面部６ｂに接し又は近接し、点検口５と点検蓋６の隙間Ｘが第２係止凸部８２で塞がれた浴室構造１０となる。なお、前記近接は、例えば、第２係止凸部８２の係合面８２１と表面部６ｂの間が２ｍｍ以下であることが好ましい。
かかる浴室構造１０は、第２係止凸部８２によって点検口５と点検蓋６の隙間Ｘが隠蔽されているので、外観が良好となるだけでなく、浴室の蒸気が前記隙間Ｘを通じて天井裏に侵入することをより効果的に防止できる。特に、第１及び第２係止凸部８１，８２を有する縁部材１が可撓性材料から形成されているので、前記隙間Ｘを通じた蒸気などの侵入をより効果的に防止できる。加えて、前記縁部材１を貼り付けた点検口５に点検蓋６を取り付ける際、可撓性を有する縁部材１が衝撃緩衝材として機能するので、点検蓋６の傷付きを防止できる。また、１つの縁部材１を点検口５の周囲の表面部５ａに貼り付けるだけで、内装シート４２の端面及び隙間Ｘを同時に隠蔽することができるので、施工が簡素化され、施工時間を短縮することができる。
【００２９】
また、上記１つの実施形態の縁部材１は、貼付壁２の貼付け面２１が平坦状に形成されているが、例えば、図９に示すように、貼付け面２１に複数の小突部２３が形成されていてもよい。このように小突部２３を形成することにより、隣接する小突起２３の間の凹部に接着剤が入り込むので、点検口５の端面５ａなどに対する貼付け面２１の接着強度を向上させることができる。特に、貼付手段として接着剤を用いた際に前記接着強度の向上を期待できる。なお、小突部２３の突出高さは、例えば、０．０５ｍｍ〜０．２ｍｍである。
【００３０】
また、図１０に示すように、係止凸部３の肉厚がその先端部３ａから貼付壁２に向かうに従って次第に大きくなるように、係止凸部３が形成されていてもよい。このような形状は、例えば、係止凸部３の外面３２が、先端部３ａから貼付壁２の方向に斜め下に延びるように形成される。かかる係止凸部３を有する縁部材１は、可撓性材料から形成されることによって係止凸部３の先端部３ａが弾性変形容易で、伸び易くなる。従って、かかる縁部材１を点検蓋６の端面６ａを貼り付けた際には、係止凸部３の先端部３ａが点検蓋６の端面６ａのコーナーにおいて伸びるので、縁部材１を点検蓋６に綺麗に取り付けることができる。
【００３１】
また、上記１つの実施形態の縁部材１は、係止凸部３が断面視半円状に形成されているが、例えば、図１１に示すように、係止凸部３が、断面視逆台形状に形成されていてもよい。かかる係止凸部３は、その先端部３ａから貼付壁２に向かうに従って肉厚が次第に小さくなった第１薄肉部３３１と、貼付壁２から先端部３ａに向かうに従って肉厚が次第に小さくなった第２薄肉部３３２と、第１薄肉部３３１と第２薄肉部３３２の間に介在する厚肉部３３３と、からなる。なお、図２の１つの実施形態に係る縁部材１も、概念上、図１１の縁部材１と同様に、第１薄肉部と、第２薄肉部と、この２つの薄肉部の間に挟まれて介在する厚肉部と、を有する。
かかる縁部材１は、可撓性材料から形成されることによって第１薄肉部３３１及び第２薄肉部３３２が弾性変形容易で伸び易くなる。従って、かかる縁部材１を点検蓋６の端面６ａを貼り付けた際には、係止凸部３の第１薄肉部３３１が点検蓋６の端面６ａのコーナーにおいて伸び、縁部材１を点検口５の端面５ａに貼り付けた際には、係止凸部３の第２薄肉部３３２が点検口５の端面５ａのコーナーにおいて伸びるので、何れに貼り付けた場合でも縁部材１を綺麗に取り付けることができる。
【００３２】
また、上記１つの実施形態の点検蓋６は、点検口５に嵌めた際に係止部６３にて天井下地材４１の裏面に係止される構造であったが、これに限定されず、例えば、図１２に示すように、蓋下地材６１の周縁部に逆Ｕ字状の係止凹部６４が形成され且つ天井下地材４１の周縁部にＵ字状の被係止凹部４４が形成され、前記係止凹部６４と被係止凹部４４の嵌合によって点検蓋６が点検口５に保持される構造であってもよい。
【００３３】
なお、上記各実施形態では、本発明の縁部材１は、内装シート４２，６２が貼り付けられた浴室天井４及び点検蓋６に対して取り付けられているが、これに限られず、内装シートが設けられていない浴室天井及び点検蓋に本発明の縁部材１を取り付けてもよい。
例えば、木質製の蓋下地材からなる点検蓋６の端面６ａに、本発明の縁部材１を取り付けることにより、その端面を隠蔽して外観を良好にするだけでなく、水蒸気や水分の侵入による木材の腐敗などを効果的に防止できる。
【符号の説明】
【００３４】
１  縁部材
１０  浴室構造
２  貼付壁
２１  貼付け面
３，８１，８２  係止凸部
３１  係合面
４  浴室天井
４１  天井下地材
４２，６２  内装シート
５  点検口
５ａ  点検口の端面
５ｂ  点検口の周囲の表面部
６  点検蓋
６ａ  点検蓋の端面
６ｂ  点検蓋の周囲の表面部
６１  蓋下地材
【図１】
2015063857.tif 000003
【図２】
2015063857.tif 000004
【図３】
2015063857.tif 000005
【図４】
2015063857.tif 000006
【図５】
2015063857.tif 000007
【図６】
2015063857.tif 000008
【図７】
2015063857.tif 000009
【図８】
2015063857.tif 000010
【図９】
2015063857.tif 000011
【図１０】
2015063857.tif 000012
【図１１】
2015063857.tif 000013
【図１２】
2015063857.tif 000014